(57)【要約】      （修正有）【課題】  袋状のシートで植生基材を包み、法面や壁面や斜面を緑化保護するための植生マットの工法で、ワイヤーや芯を支持体として使用して、凹凸面でも平滑面でも対応でき、乾燥を防ぎ、植物の生育環境を良くすることができる水タンクを設けた有芯袋状植生マット工法を提供する。【解決手段】  袋状シートの内側に中空の芯と植生基材と水供給パイプを入れた有芯袋状植生マットに横ワイヤーを通し、横ワイヤーの両端に固定金具を設け、水平方向で法面や壁面や斜面に設置し、両端をアンカーで固定面に留め、縦方向の縦ワイヤーとの交点を留め金具とアンカーで固定面に固定し、有芯袋状植生マット固定面の上段部水平面に水タンクを設け、水タンクの上部に水収集シートを設けた水収集管を設け、水収集管と水タンクと有芯袋状植生マットを水供給ホースで繋ぎ、タンクに貯めた分量だけ長期に渡って水を供給できる水タンクを設けた有芯袋状植生マット工法である。【選択図】図１
2007252360.tif 000002
【特許請求の範囲】
【請求項１】
（イ）シートを設ける。
（ロ）芯を設ける。
（ハ）芯にシートの片端を巻き付ける。
（ニ）植生基材あるいは植生基材に肥料等を配合したものをシートで巻き込む。
（ホ）巻き込んだシートを固定する。
以上の如く構成された、植生基材厚が厚く、水分保持力が高く、あらかじめ作り置くことができ、長いものを作ることや、短いものを数多く連ねることもでき、シートと植生基材を芯に巻きつけることを特徴とした有芯袋状植生マット。
【請求項２】
（イ）袋状のシートを設ける。
（ロ）シートを固定するために袋の中へ通す芯を設ける。
（ハ）植生基材あるいは植生基材に肥料等を配合したものを袋状のシートの内側へ入れる。
（ニ）シートの端を閉じる。
以上の如く構成された植生基材厚が厚く、水分保持力が高く、あらかじめ作り置くことができ、長いものを作ることや、短いものを数多く連ねることもでき、植生基材を袋状のものに入れた芯を持つことを特徴とした有芯袋状植生マット。
【請求項３】
（イ）有芯袋状植生マットの芯に引っ掛け治具を設ける。
（ロ）横ワイヤーを設ける。
（ニ）（ロ）の横ワイヤーの両端に固定金具を設ける。
（ホ）水平方向に固定面に並べた（ニ）の横ワイヤーの両端をアンカーで固定面に固定する。
（ヘ）縦ワイヤーを設ける。
（ト）（ヘ）の縦ワイヤーの両端に固定金具を設ける。
（チ）縦方向に固定面に並べた（ト）の縦ワイヤーの両端をアンカーで固定面に固定する。
（リ）（ホ）の横ワイヤーと（チ）の縦ワイヤーの交点に留め金具を設ける。
（ヌ）（リ）の留め金具をアンカーで固定面に固定する。
（ル）（ロ）の横ワイヤーに（イ）の引っ掛け治具の付いた有芯袋状植生マットを引っ掛ける。
以上の如く構成された有芯袋状植生マットをワイヤーに引っ掛けることを特徴とした有芯袋状植生マット工法。
【請求項４】
（イ）ガイド板を設ける。
（ロ）固定面にガイド板を固定する。
（ハ）有芯袋状植生マットの芯をガイド板にはめ込む。
（ニ）有芯袋状植生マットの芯をガイド板に固定する。
以上の如く構成された、ガイド板で有芯植生マットを支持することを特徴とする有芯袋状植生マット工法。
【請求項５】
（イ）中空にした芯を設ける。
（ロ）（イ）の中空芯を使用した有芯袋状植生マットを設ける。
（ハ）有芯袋状植生マットの中空芯に横ワイヤーを通す。
（ニ）（ハ）の横ワイヤーの両端に固定金具を設ける。
（ホ）水平方向に固定面に並べた（ニ）の横ワイヤーの両端をアンカーで固定面に固定する。
（ヘ）縦ワイヤーを設ける。
（ト）（ヘ）の縦ワイヤーの両端に固定金具を設ける。
（チ）縦方向に固定面に並べた（ト）の縦ワイヤーの両端をアンカーで固定面に固定する。
（リ）（ニ）の横ワイヤーと（チ）の縦ワイヤーの交点の上部に留め金具を設ける。
（ヌ）（リ）の留め金具をアンカーで固定面に固定する。
以上の如く構成された中空芯に通したワイヤーで有芯袋状植生マットを支持することを特徴とする有芯袋状植生マット工法。
【請求項６】
（イ）［請求項３］［請求項４］［請求項５］の有芯袋状植生マットの芯と平行して小穴の開いた水供給ホースを設ける。
（ロ）［請求項３］［請求項４］［請求項５］の工法で設置した有芯袋状植生マット固定面の上段部水平面に水タンクを設ける。
（ハ）水タンクの上部に水収集シート付の管に割れ目のある水収集管を設ける。
（ニ）水収集管を治具とアンカーで固定する。
（ホ）水収集管に水供給ホース取付穴を設ける。
（ヘ）水タンクに水収集管からの水供給ホース取付穴を設ける。
（ト）水収集管と水タンクを水供給ホースで繋ぐ。
（チ）水タンクを治具とアンカーで固定する。
（リ）水タンクに有芯袋状植生マットからの水供給ホース取付穴を設ける。
（ヌ）水タンクの水供給ホース取付穴と有芯袋状植生マットの水供給ホースを繋ぐ。
（ル）有芯袋状植生マットと有芯袋状植生マットを水供給ホースで繋ぐ。
（ヲ）水供給ホースの先端を閉じる。
以上の如く構成された、水タンクで長期間に渡って水分を供給することを特徴とする有芯袋状植生マット工法。
【発明の詳細な説明】
【技術分野】
【０００１】  本発明は、袋状のシートで植生基材を包むので植生基材厚が厚く、水分保持力が高く、あらかじめ作り置くことができ、設置と同時に緑化ができ、現場での植生基材の吹付けを必要としないので、設置の手間が省け、植生の現場作業時間を短縮することができる有芯袋状植生マットと有芯袋状植生マットを使用した法面や壁面や斜面を緑化保護するための植生マットの工法で、ワイヤーや芯を支持体として使用して、凹凸面でも平滑面でも対応でき、乾燥を防ぎ、植物の生育環境を良くすることができる雨水収集型の水タンクを設けた有芯袋状植生マット工法に関するものである。
【背景技術】
【０００２】  従来、法面を緑化保護するために、植生基材を含まない平らな薄い網状の植生マット工法や大多数が３ｃｍ〜８ｃｍの厚みで植生基材をラス網の上に吹き付ける植生基材吹付工法が存在していた。また、垂直な壁面への緑化はほとんど見られなかった。
【発明の開示】
【発明が解決しようとする課題】
【０００３】  そのために、次のような問題点があった。
（イ）従来の植生マット工法では基盤が岩の場合、植物の生育が悪く使用できず、盛土の場合、日光の条件や水分の条件や土の条件が少しでも合わないと植物が育たない場合が多かった。
（ロ）岩や急勾配では植生基材吹付工が用いられているが水分の条件が悪いと植物が育たなかったり、植生基材が剥がれ落ちたりすることが多々あるのが現状であった。
（ハ）沢や谷の土砂崩れの防護策として、流出した土砂を食い止める防護壁や砂防ダムを作るが、土砂の流出を予防する手段は取られていないのが現状であった。
本発明は、以上の問題を解決するためのものである。
【課題を解決するための手段】
【０００４】  袋状シートの内側に中空の芯と植生基材と水供給パイプを入れた有芯袋状植生マットに横ワイヤーを通し、横ワイヤーの両端に固定金具を設け、水平方向で法面や壁面や斜面に設置し、両端をアンカーで固定面に留め、縦方向の縦ワイヤーとの交点を留め金具とアンカーで固定面に固定し、有芯袋状植生マット固定面の上段部水平面に水タンクを設け、水タンクの上部に水収集シートを設けた水収集管を設け、水収集管と水タンクと有芯袋状植生マットを水供給ホースで繋ぎ、水供給ホースの下端を閉じた水をタンクに貯めた分量だけ長期に渡って水を供給できる水タンクを設けた有芯袋状植生マット工法である。
【発明の効果】
【０００５】  有芯袋状植生マットに植生基材を詰めることができるので植生基材厚が厚く、その分、水分保持力が高く、あらかじめ作り置くことができるので、植物をあらかじめ育てておくこともでき、環境対応力が強く、現場での植生基材の吹付けを必要としないので、植生の現場作業時間を短縮することができる。また、水タンクに雨水を貯めることができるので、通常、降雨時とその水分が保たれている間だけの期間が植物に適した状況であるが、水タンクからの水分の供給によって、長期に渡って植物に適した状況を保つことができる。植物生育環境を人工的に広げることができる。
また、沢の崩れ当による表土流失部や沢部をこの工法で保護することにより、土石の流失・崩壊を起こりにくくし、砂防ダムのある場所では、砂防ダムを埋まりにくくするなどの効果が期待できるので、災害の防止にも貢献できる。
また、有芯袋状植生マットに芯を設けることによって、ワイヤーもしくはガイド板で支持することができ、多くの建築資材や建築機械を必要としないので、安価に施工できる。
【発明を実施するための最良の形態】
【０００６】  以下、本発明の実施の形態について説明する。
（イ）［請求項２］［請求項３］［請求項４］の有芯袋状植生マットの芯と平行して小穴の開いた水供給ホースを設ける。
（ロ）［請求項２］［請求項３］［請求項４］の工法で設置した有芯袋状植生マット固定面の上段部水平面に水タンクを設ける。
（ハ）水タンクの上部に水収集シート付の管に水取り込み穴のある水収集管を設ける。
（ニ）水収集管を留め具とアンカーで固定する。
（ホ）水収集管に水供給ホース取付穴を設ける。
（ヘ）水タンクに水収集管からの水供給ホース取付穴を設ける。
（ト）水収集管と水タンクを水供給ホースで繋ぐ。
（チ）水タンクを留め具とアンカーで固定する。
（リ）水タンクに有芯袋状植生マットからの水供給ホース取付穴を設ける。
（ヌ）水タンクと有芯袋状植生マットの水供給ホースを繋ぐ。
（ル）有芯袋状植生マットと有芯袋状植生マットを水供給ホースで繋ぐ。
（ヲ）水供給ホースの先端を閉じる。
本発明は以上の構成よりなっている。
これを設置すると雨水が水収集シートを通じ水収集管に集まり、水タンクに一時保管される。貯められた雨水は水供給ホースを伝わり、水供給ホースに空けられた極小さな穴から水圧によって有芯袋状マットに少しずつ流れ、水を植物に供給する。したがって、水タンクに貯められた水が供給される間は植物が水不足により枯れることがなく、乾季にその効力を発揮し、急勾配の法面や岩盤で保水力がないところでも、降水量が少なかったり、乾燥しやすいところでも、植物の生育が可能になり、緑化ができることになる。
【図面の簡単な説明】
【０００７】
【図１】  本発明の斜視図
【符号の説明】
【０００８】  ▲１▼水収集シート、▲２▼水収集管、▲３▼水供給ホース取付穴，、▲４▼水供給ホース、▲５▼水タンク、▲６▼有芯植生マット、▲７▼横ワイヤー、▲８▼縦ワイヤー、▲９▼固定金具、▲１０▼留め金具、▲１１▼留め具、▲１２▼アンカー
【図１】
2007252360.tif 000003